(57)【要約】      （修正有）【課題】特に旅行時に荷物を収納して搬送することができるスーツケースを提供する。【解決手段】本考案に係るスーツケースは、硬質座部１０と、収納部２０と、複数の車輪仕組み３０と、キャリーハンドル４０、を有し、該収納部は、硬質座部に設置され、その内部に収納空間が形成され、前面に開口２１が形成され、可撓性を備えると共に、該開口を選択可能に塞ぐことができるフロントカバー２２を備え、該車輪仕組みは、硬質座部の底面に取り付けられ、該キャリーハンドルは、硬質座部または収納部に固定され、それにより、それらの車輪仕組みが硬質座部の底面に取り付けられることから、荷物をスーツケースの内部に不均一に収納しても、硬質座部が変形することはなく、それぞれの車輪仕組みが常に地面に接している状態を保つことができる。【選択図】図１
0003212670.tif 000002
【実用新案登録請求の範囲】
【請求項１】
硬質座部と、
前記硬質座部に設置され、内部に収納空間が形成され、前面に開口が形成され、可撓性を備えると共に、該開口を選択可能に塞ぐことができるフロントカバーを備える、収納部と、
前記硬質座部の底面に取り付けられる、複数の車輪仕組みと、
前記硬質座部または前記収納部に固定される、キャリーハンドル、を有することを特徴とするスーツケース。
【請求項２】
前記硬質座部の底面に複数の第一凹部が形成され、
前記車輪仕組みは、第一凹部にそれぞれ嵌合される組立部を備えることを特徴とする請求項１に記載のスーツケース。
【請求項３】
前記硬質座部は、複数の第一固定部材を備え、該第一固定部材はそれぞれ、対応する硬質座部の第一凹部に貫設されて組立部に固定されることを特徴とする請求項２に記載のスーツケース。
【請求項４】
前記各車輪仕組みは、結合部及び、少なくとも１つの車輪部を備え、そのうち、結合部が回転可能に組立部の底面に取り付けられると共に、該車輪部が回転可能に結合部に取り付けられることを特徴とする請求項２に記載のスーツケース。
【請求項５】
前記車輪仕組みは、結合部に貫設されると共に、組立部に螺設される第二固定部材を有し、該結合部は、第二固定部材を回転軸として回転することを特徴とする請求項４に記載のスーツケース。
【請求項６】
前記キャリーハンドルの一部は、収納部の収納空間における、開口と相対する内側面に配置されることを特徴とする請求項１乃至５の何れか１項に記載のスーツケース。
【請求項７】
前記硬質座部は、少なくとも１つの第二固定部材を備え、該第二固定部材が硬質座部に貫設されて前記キャリーハンドルの下端を固定されることを特徴とする請求項１乃至５の何れか１項に記載のスーツケース。
【請求項８】
前記硬質座部は、少なくとも１つの第二固定部材を備え、該第二固定部材が硬質座部に貫設されることにより前記キャリーハンドルの下端が固定されることを特徴とする請求項６に記載のスーツケース。
【請求項９】
前記硬質座部の上面に、少なくとも１つの第二凹部が凹設され、
前記キャリーハンドルの下端が第二凹部に挿設されることを特徴とする請求項１乃至５の何れか１項に記載のスーツケース。
【請求項１０】
前記硬質座部の上面に、少なくとも１つの第二凹部が凹設され、
前記キャリーハンドルの下端が第二凹部に挿設され、
前記第二固定部材が第二凹部に貫設されることによりキャリーハンドルの下端が固定されることを特徴とする請求項８に記載のスーツケース。
【考案の詳細な説明】
【技術分野】
【０００１】
本考案は、特に旅行時に荷物を収納して搬送することができるケースに関するものである。
【背景技術】
【０００２】
既存のスーツケースは、ブランドや種類が多く、例えば、２枚の硬質の殻体が蝶番による組み合わされ、そのうち、２枚の殻体の間に衣類やトラベルグッズなどを収納する収納空間が設けられ、また、該２枚の殻体の底部の隅角にそれぞれ車輪が設置され、重量を分散させることから、その車輪により荷物が搬送しやすくする。
【考案の概要】
【考案が解決しようとする課題】
【０００３】
しかしながら、既存の２枚の硬質の殻体からなるスーツケースを使用する時には、以下のような欠点を有する。例えば、硬質の殻体には可撓性を有しないことから、２つの殻体を開くと、かなりのスペースが必要となるので、狭い部屋では、展開し難く、荷物の片付けがし難くなる。また、２枚の殻体を閉じる場合は、一方の殻体が他方の殻体にカバーしてからチャックなどによりロックする必要があるため、その過程において、該一方の殻体の開口が下方に面して収納空間に収納している物品がずれたり落下したりする虞がある。また、硬質の殻体の弾性は弱いことから、スーツケースに多くの荷物を入れると、２枚の殻体が組み合わせられなくなり、スーツケースが閉まらなくなるといった問題があった。
【０００４】
一方、２枚の殻体をチャックで開閉するタイプは、その殻体の内部に荷物がバランスよく配置しなかったら、２枚の殻体が互いに対応して組み合わせることができなくなり、また、各殻体の車輪の高低位置が一致しなかったら、車輪が地面と接触しない場合もあり、スーツカースを引いて移動させると、車輪が壊れやすくなる。
【０００５】
既存の軟質のスーツケースは、フレームに柔軟な布材料が貼り付けられており、製造上複雑な工程が必要となるので、製造の技術がよくないと、製品の品質が悪くなり、車輪が地面に接触できない問題があった。さらに、車輪や、キャリーハンドル、フレームなどの固定構造が複雑で製造し難いことから、製造又は修理に手間がかかっていた。
【課題を解決するための手段】
【０００６】
本考案に係るスーツケースは、硬質座部と、収納部と、複数の車輪仕組みと、キャリーハンドルを有し、該収納部は、硬質座部に設置され、その内部に収納空間が形成され、前面に開口が形成され、可撓性を備えると共に、該開口を選択可能に塞ぐことができるフロントカバーを備え、該車輪仕組みは、硬質座部の底面に取り付けられ、該キャリーハンドルは、硬質座部または収納部に固定されるものである。
【考案の効果】
【０００７】
本考案に係るスーツケースにおいては、複数の車輪仕組みが硬質座部の底面に取り付けられることから、荷物をスーツケースの内部に不均一に収納しても、硬質座部が変形することはなく、それぞれの車輪仕組みも常に地面に接している状態を保つことができる。
また、そのフロントカバーが収納部の前面に取り付けられることから、荷物を収納部に収納しやすくなり、フロントカバーで収納部をカバーして閉める時も、収納した荷物がずれたり落下したりする心配はなく、さらに、そのフロントカバーには可撓性を有することから、折り畳むことができるので、フロントカバーを開けても、大きなスペースはいらなく、多くの荷物を収納した場合には、やや外部へ突出するように変形可能であるので、実用性が高い。
【図面の簡単な説明】
【０００８】
【図１】本考案に係るスーツケースの斜視図である。
【図２】本考案に係るスーツケースの分解斜視図である。
【図３】本考案に係るスーツケースのフロントカバーを開けた状態を示す上面図である。
【図４】本考案に係るスーツケースにおける車輪仕組みの上面視分解斜視図である。
【図５】本考案に係るスーツケースにおける車輪仕組みの下面視分解斜視図である。
【図６】本考案に係るスーツケースにおける車輪仕組みの側面視断面図である。
【図７】本考案に係るスーツケースにおける車輪仕組みの他の側面視断面図である。
【考案を実施するための形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１及び図２に示すように、本考案に係るスーツケースは、硬質座部１０と、収納部２０と、複数の車輪仕組み３０と、キャリーハンドル４０を有する。
【００１１】
前記硬質座部１０は、ポリプロピレン（Ｐｏｌｙｐｒｏｐｙｌｅｎｅ，  ＰＰ）や、ポリカーボネート（Ｐｏｌｙｃａｒｂｏｎａｔｅ，  ＰＣ）、アクリロニトリルブタジエンスチレン（Ａｃｒｙｌｏｎｉｔｒｉｌｅ  ｂｕｔａｄｉｅｎｅ  ｓｔｙｒｅｎｅ，  ＡＢＳ）などの材質からなり、他の硬質のプラスチックからなってもよい。
【００１２】
図４に示すように、前記硬質座部１０の底面に複数の第一凹部１１が形成され、該第一凹部１１に嵌合凹部１１１が凹設され、該嵌合凹部１１１の幅(図７の如く)は、第一凹部１１の下部の幅よりも広く設定され、該嵌合凹部１１１の深さ（図６の如く）は、第一凹部１１の下部の深さよりも深く設定される。また、前記硬質座部１０の上面に、少なくとも１つの第二凹部１２が凹設される。更に、前記硬質座部１０は、複数の第一固定部材１３及び少なくとも１つの第二固定部材１４を備える。
前記車輪仕組み３０は、第一凹部１１に嵌設されて第一固定部材１３により硬質座部１０に固定され、前記キャリーハンドル４０は、下端が第二凹部１２に挿設されて第二固定部材１４により硬質座部１０に固定される。この構成によれば、車輪仕組み３０及びキャリーハンドル４０を硬質座部１０に簡単に取り付けることができる。尚、前記第一固定部材１３及び第二固定部材１４は、ネジや、ボルト、ピン、ラッチであってもよい。
【００１３】
前記収納部２０は、可撓性を備える材質、つまり、ナイロン（ｎｙｌｏｎ）や、ポリエステル（Ｐｏｌｙｅｓｔｅｒ）などの布材質からなり、ミシンにより硬質座部１０に設置され、その内部に収納空間が形成される。尚、本実施例における収納部２０は、可撓性を備える材質を用いてプラスチックボードまたはハニカムボードに被覆されるフレームが構成され、例えば、縫合や、粘着、釘止め、ネジ締めなどの技術手段によりシェルのフレームを作る。
【００１４】
図３に示すように、前記収納部２０は、開口２１と、フロントカバー２２と、少なくとも１つの取っ手２３を備え、該開口２１は、収納空間と連通するように収納部２０の前面に形成されるので、衣類や、旅行グッツなどの荷物を開口２１から収納空間に収納することができ、該フロントカバー２２は、チャックにより開口２１を開閉することができる。また、本考案のスーツケースを倒して地面に置く場合、前記フロントカバー２２が可撓性を備えることから、フロントカバー２２が開口２１をカバーして閉じない場合に、フロントカバー２２が折り畳んで収納することができ、広いスペースは必要としない。尚、本実施例においては、２つの取っ手２３を備え、一方の取っ手２３は、収納部２０の上側の表面に取り付けられ、他方の取っ手２３は、収納部２０のフロントカバー２２の一側の表面に取り付けられる。
【００１５】
図４乃至図７に示すように、前記車輪仕組み３０は、硬質座部１０の底面に取り付けられ、図４及び図５に示すように、それら各車輪仕組み３０は、組立部３１と、結合部３２と、少なくとも１つの車輪部３３と、第二固定部材３４を備え、該組立部３１の上側に、第一凹部１１の嵌合凹部１１１の形状に対応する嵌合凸部３１１が設けられ、該組立部３１は、第一凹部１１の上側に嵌合され、前記第一固定部材１３が、硬質座部１０の第一凹部１１に貫設されて組立部３１に固定される。尚、図６に示すように、本実施例における第一固定部材１３はネジであることから、硬質座部１０の上方から第一凹部１１にねじ込んで組立部３１の上側の表面に螺設される。
【００１６】
前記結合部３２は、回転可能に組立部３１の底面に取り付けられ、該結合部３２の回転軸は、硬質座部１０の底面と直交するように取り付けられる。前記車輪部３３は、回転可能に結合部３２に取り付けられ、該車輪部３３の回転軸が硬質座部１０の底面方向と平行するように設定され、図７に示すように、ネジである前記第二固定部材３４が、下方から結合部３２を貫いて組立部３１に螺設されることにより、第二固定部材３４を軸として結合部３２が回転可能となる。
【００１７】
図２及び図３に示すように、前記キャリーハンドル４０の下端が硬質座部１０に固定されると共に、上端が伸縮可能に収納部２０の上側の表面に設置され、即ち、前記キャリーハンドル４０の下端が第二凹部１２に挿設され、前記第二固定部材１４が第二凹部１２に貫設されることによりキャリーハンドル４０の下端を固定する。尚、本実施例においては、キャリーハンドル４０の一部が、収納部２０の収納空間における開口２１に相対する内側面に配置されるが、収納部２０の外部に配置されてもよく、該キャリーハンドル４０は、収納部２０の上側の表面から露出すると共に、必要な長さに伸ばすことができ、そのうち、キャリーハンドル４０の最も低い位置は、収納部２０の上側の表面の高さである。また、他の実施例においては、キャリーハンドル４０を、収納部２０のフレームに固定してもよい。
【００１８】
本考案に係るスーツケースにおいては、複数の車輪仕組み３０が硬質座部１０の底面に取り付けられることから、荷物をスーツケースの内部に不均一に収納しても、硬質座部１０が変形することはなく、それぞれの車輪仕組み３０も地面にしっかりと接地する。また、フロントカバー２２が収納部２０の前面に取り付けられることから、荷物を収納部２０に収納しやすくなり、フロントカバー２２で収納部２０をカバーするように閉じる時にも、収納した荷物がずれたり落下したりすることはなく、さらに、そのフロントカバー２２は可撓性を有し、折り畳むことができることから、フロントカバー２２を開ける場合、広いスペースは必要としなく、また、可撓性により、多くの荷物を収納することもできるので、実用性が高い。
【００１９】
更に、車輪仕組み３０は、第二固定部材３４による組立部３１及び結合部３２を硬質座部１０の底部に取り付け、また、該車輪仕組み３０が硬質座部１０の第一凹部１１に嵌め込まれて第一固定部材１３により硬質座部１０に固定されると共に、キャリーハンドル４０が硬質座部１０の第二凹部１２に嵌め込まれて第二固定部材１４により硬質座部１０に固定されることから、着脱が簡単であるので、組立や修理がし易い。
【符号の説明】
【００２０】
１０    硬質座部
１１    第一凹部
１１１  嵌合凹部
１２    第二凹部
１３    第一固定部材
１４    第二固定部材
２０    収納部
２１    開口
２２    フロントカバー
２３    取っ手
３０    車輪仕組み
３１    組立部
３１１  嵌合凸部
３２    結合部
３３    車輪部
３４    第二固定部材
４０    キャリーハンドル
【図１】
0003212670.tif 000003
【図２】
0003212670.tif 000004
【図３】
0003212670.tif 000005
【図４】
0003212670.tif 000006
【図５】
0003212670.tif 000007
【図６】
0003212670.tif 000008
【図７】
0003212670.tif 000009
【手続補正書】
【提出日】平成29年7月31日(2017.7.31)
【手続補正１】
【補正対象書類名】実用新案登録請求の範囲
【補正対象項目名】請求項７
【補正方法】変更
【補正の内容】
【請求項７】
前記硬質座部は、少なくとも１つの第三固定部材を備え、該第三固定部材が硬質座部に貫設されて前記キャリーハンドルの下端を固定されることを特徴とする請求項１乃至５の何れか１項に記載のスーツケース。
【手続補正２】
【補正対象書類名】実用新案登録請求の範囲
【補正対象項目名】請求項８
【補正方法】変更
【補正の内容】
【請求項８】
前記硬質座部は、少なくとも１つの第三固定部材を備え、該第三固定部材が硬質座部に貫設されることにより前記キャリーハンドルの下端が固定されることを特徴とする請求項６に記載のスーツケース。
【手続補正３】
【補正対象書類名】実用新案登録請求の範囲
【補正対象項目名】請求項１０
【補正方法】変更
【補正の内容】
【請求項１０】
前記硬質座部の上面に、少なくとも１つの第二凹部が凹設され、
前記キャリーハンドルの下端が第二凹部に挿設され、
前記第三固定部材が第二凹部に貫設されることによりキャリーハンドルの下端が固定されることを特徴とする請求項８に記載のスーツケース。
【手続補正４】
【補正対象書類名】明細書
【補正対象項目名】００１２
【補正方法】変更
【補正の内容】
【００１２】
図４に示すように、前記硬質座部１０の底面に複数の第一凹部１１が形成され、該第一凹部１１に嵌合凹部１１１が凹設され、該嵌合凹部１１１の幅(図７の如く)は、第一凹部１１の下部の幅よりも広く設定され、該嵌合凹部１１１の深さ（図６の如く）は、第一凹部１１の下部の深さよりも深く設定される。また、前記硬質座部１０の上面に、少なくとも１つの第二凹部１２が凹設される。更に、前記硬質座部１０は、複数の第一固定部材１３及び少なくとも１つの第三固定部材１４を備える。
前記車輪仕組み３０は、第一凹部１１に嵌設されて第一固定部材１３により硬質座部１０に固定され、前記キャリーハンドル４０は、下端が第二凹部１２に挿設されて第三固定部材１４により硬質座部１０に固定される。この構成によれば、車輪仕組み３０及びキャリーハンドル４０を硬質座部１０に簡単に取り付けることができる。尚、前記第一固定部材１３及び第三固定部材１４は、ネジや、ボルト、ピン、ラッチであってもよい。
【手続補正５】
【補正対象書類名】明細書
【補正対象項目名】００１７
【補正方法】変更
【補正の内容】
【００１７】
図２及び図３に示すように、前記キャリーハンドル４０の下端が硬質座部１０に固定されると共に、上端が伸縮可能に収納部２０の上側の表面に設置され、即ち、前記キャリーハンドル４０の下端が第二凹部１２に挿設され、前記第三固定部材１４が第二凹部１２に貫設されることによりキャリーハンドル４０の下端を固定する。尚、本実施例においては、キャリーハンドル４０の一部が、収納部２０の収納空間における開口２１に相対する内側面に配置されるが、収納部２０の外部に配置されてもよく、該キャリーハンドル４０は、収納部２０の上側の表面から露出すると共に、必要な長さに伸ばすことができ、そのうち、キャリーハンドル４０の最も低い位置は、収納部２０の上側の表面の高さである。また、他の実施例においては、キャリーハンドル４０を、収納部２０のフレームに固定してもよい。
【手続補正６】
【補正対象書類名】明細書
【補正対象項目名】００１９
【補正方法】変更
【補正の内容】
【００１９】
更に、車輪仕組み３０は、第二固定部材３４による組立部３１及び結合部３２を硬質座部１０の底部に取り付け、また、該車輪仕組み３０が硬質座部１０の第一凹部１１に嵌め込まれて第一固定部材１３により硬質座部１０に固定されると共に、キャリーハンドル４０が硬質座部１０の第二凹部１２に嵌め込まれて第三固定部材１４により硬質座部１０に固定されることから、着脱が簡単であるので、組立や修理がし易い。
【手続補正７】
【補正対象書類名】明細書
【補正対象項目名】００２０
【補正方法】変更
【補正の内容】
【００２０】
１０    硬質座部
１１    第一凹部
１１１  嵌合凹部
１２    第二凹部
１３    第一固定部材
１４    第三固定部材
２０    収納部
２１    開口
２２    フロントカバー
２３    取っ手
３０    車輪仕組み
３１    組立部
３１１  嵌合凸部
３２    結合部
３３    車輪部
３４    第二固定部材
４０    キャリーハンドル